(57)【要約】  キーボードに据付けるインターフェースであって、該インターフェースは、上記キーボードを被覆し、複数の大型ボタンを有し、各大型ボタンは上記キーボードの２個以上のキーを被覆するインターフェース、及び各大型ボタンの下にある全てのキーと関連させ、任意には、大型ボタンの下にないキーを無効にする関連したソフトウェアプログラム。【選択図】  図３
2010538348.tif 000002
【特許請求の範囲】
【請求項１】
キーボードに据付けるインターフェースであって、該インターフェースは、前記キーボードを被覆し、複数の大型ボタンを有し、各大型ボタンは前記キーボードの２個以上のキーを被覆するインターフェース。
【請求項２】
前記キーボードには、少なくともクワーティーキーボードを含むこと、を特徴とする請求項１に記載のインターフェース。
【請求項３】
前記複数の大型ボタンを明るい色にすること、を特徴とする請求項１に記載のインターフェース。
【請求項４】
前記複数の大型ボタンを容易に認識できる記号で印付けすること、を特徴とする請求項１に記載のインターフェース。
【請求項５】
前記容易に認識できる記号を、文字、数字、形、図像の一覧から選択すること、を特徴とする請求項１に記載のインターフェース。
【請求項６】
前記複数の大型キーの各前記大型キーを異なる形状とすること、を特徴とする請求項１に記載のインターフェース。
【請求項７】
前記大型ボタンと結合させた略垂直なプッシュレバーを有し、該垂直プッシュレバーを押圧する又は引くと、前記大型ボタンの下にある前記キーがキーストロークされ、登録するようにすること、を特徴とする請求項１に記載のインターフェース。
【請求項８】
略垂直プッシュレバーを透明とし、ディスプレイの前に位置合わせして、ユーザが表示に応答する際に、前記垂直プッシュレバーを動かすようにしてもよいこと、を特徴とする請求項６に記載のインターフェース。
【請求項９】
前記ディスプレイを、前記コンピュータと結合したモニタ上に表示すること、を特徴とする請求項７に記載のインターフェース。前記キーボードを被覆するカバーとし、少なくとも第１の複数のキーを少なくとも１個の大型ボタンにグループ化して、それにより何れの前記複数のキーにも圧力が等しく作用するようにすること、を特徴とする請求項１に記載のインターフェース。
【請求項１０】
前記カバーにより、圧力が前記キーボードの１個又は複数のキーに印加されるのを防ぎ、その結果前記１個又は複数のキーが押下されるのを防ぐこと、を特徴とする請求項９に記載のインターフェース。
【請求項１１】
前記少なくとも１個の大型ボタンと関連していない前記キーボードのキーを、ソフトウェアプログラムによって無効にして、それにより該キーに対する圧力を前記コンピュータが登録しないようにすること、を特徴とする請求項９に記載のインターフェース。
【請求項１２】
請求項１に記載したインターフェースの特定の大型ボタンが相互作用する前記コンピュータ・キーボードの前記２個以上のキーを並行してプログラムし、それにより前記大型ボタンで被覆する前記キーのどれでもが、前記コンピュータに同一の信号を提供するようにする、コンピュータ・キーボードをプログラムするプログラム。
【請求項１３】
前記ソフトウェアプログラムにより、キーストロークに対して低感度に規定し、それにより前記インターフェースの大型ボタンを意識的に打ったときのみ、入力として登録し、一打に付き一回の入力のみを登録するようにすること、を特徴とする請求項１２に記載のソフトウェアプログラム。
【請求項１４】
前記コンピュータ・キーボードをクワーティーキーボードとすること、を特徴とする請求項１２に記載のソフトウェア。
【請求項１５】
請求項１に記載の前記インターフェースの前記特定の大型ボタンと関連していないキーを無効にし、それにより該キーに対する圧力が前記コンピュータに作用しないようにすること、を特徴とする請求項１２に記載のソフトウェアプログラム。
【発明の詳細な説明】
【技術分野】
【０００１】
本発明は、不完全な条件のユーザ、例えば幼児、関節炎の高齢者、障害者等が使用するのに特に適した、コンピュータにデータを入力する装置及び方法を、提供する。
【背景技術】
【０００２】
パソコンは、個々の家族構成員に様々に役立つ汎用装置である。幼児は形、色、数や他の基本的な技能を学ぶことができ、この市場向けのコンピュータアプリケーションや特別に設計したインターフェースが、多数存在する。
【０００３】
重度の身体障害者は、コンピュータを用いて外の世界と対話できる。頭部に装着したプローブを使用してキーを押下することで、四肢麻痺患者は、詩を書いたり、自伝をタイプしたりもできる。
【０００４】
現在、標準的なクワーティ配列では、約５０個のキーがある。コンピュータ・キーボードには、クワーティキーパッド、英数字キーパッド、カーソル制御キー、ＩＮＳＥＲＴ、ＤＥＬＥＴＥ、ＡＬＴ、ＴＡＢ等の編集キー、前ページ、次ページ、プリントスクリーン等のナビゲーションキー等のさまざまなファンクションキーを含む。一般的に、コンピュータ・キーボードには、１００個以上のキーがある。こうした多数のキーは、子供や身体障害者にとって、混乱し、当惑するものである。
【０００５】
子供用に設計した特別なキーボードが、知られている。そうしたキーボードには、少数の大きく、容易に押下できるキーを備える傾向がある。こうしたキーボードは、標準的キーボードの代わりにコンピュータに接続できる、或はいずれかの周辺機器ポートに、例えばプリンタの代わりに、プラグ接続できるようになっている。しかしながら、コンピュータのポートにプラグ接続したり、該ポートから度々抜いたりして、コンピュータと接続及び非接続するキーボードは、寿命が短くなりやすい。特に子供が自分で自発的にキーボードの抜き差しをすると、ピンが曲折してしまう。子供用に設計した周辺機器も、おもちゃと見なされ易い。電子機器と子供は実際には共存できない。飲食物でもキーボードが台無しになってしまう。要するに、特別な子供用キーボードは、ある程度しか成功していない。
【０００６】
別の方法が、フィッシャー・プライス（Ｆｉｓｈｅｒ  Ｐｒｉｃｅ）（登録商標）に付与された加国特許第２，１９４，３１７号に記載されており、該特許では、通常のキーボードの上に置く、子供ユーザ支援用コンピュータ・キーボードについて記載している。フィッシャー・プライスのキーボードは、テンキーやファンクションキー等個々のキー・ブロックを被覆して遮断し、子供用にキーの選択肢を減らして表示している。しかしながら、子供が押下するボタンは、大人ユーザ用の通常サイズのキーである。
【０００７】
キー又はキー・ブロックを遮断する点に、新規性はない。米国特許第５，３４８，４０５号の「コンピュータ・キーボード・キー・デプレッション・インヒビター・デバイス（Ｃｏｍｐｕｔｅｒ  ｋｅｙｂｏａｒｄ  ｋｅｙ  ｄｅｐｒｅｓｓｉｏｎ  ｉｎｈｉｂｉｔｏｒ  ｄｅｖｉｃｅ）」では、不慮に又は不注意にコンピュータ・キーボードの特定のキー又はキーの組合せを手で押下するのを防ぐことを意図した、コンピュータ・キーボード用キー押下防止装置について記載している。この装置には天壁、側壁、底壁を有して、該壁で、コンピュータ・キーボードの「Ｆ」キー部分、ページ制御キー部分及び／又はカーソル制御キー部分の、各キー又は特定の組合せの上に嵌合するよう構成した略中空のカバーを形成する。同装置を、キー又はキーの組合せ上にぴったりと嵌合させるよう作製するが、該装置は、キーを被覆すると共に、容易に取外しすることも意図しており、自由自在に着脱できるようになっている。
【０００８】
ラーソン（Ｌａｒｓｏｎ）氏へ付与された米国特許第５，１９３，９２４号の「キャップ・カバー・フォー・キーボード・キーズ（Ｃａｐ  ｃｏｖｅｒ  ｆｏｒ  ｋｅｙｂｏａｒｄ  ｋｅｙｓ）」では、コンピュータ又はレジで使用するキーボードのキー用キャップカバーについて、記載している。このキャップカバーは基本的には、基台又は格子プレート上に載置するよう構成した中空箱である。キャップカバーにより、被覆したキーが押下されないようにしている。
【０００９】
国際公開第ＷＯ９４００８０９号の「キーボードカバー（Ｋｅｙｂｏａｒｄ  Ｃｏｖｅｒ）」では、キーボードのキーを使用できるようにするキーボードカバーについて記載している。このカバーには、キー表面に対応する部分を含む。挿入物を、キー表面の印を被覆するように、該部分に取着可能とする。この挿入物を、該表面の印の代わりとなる印を含むよう構成している。或はまた、その部分自体に、該キー表面の印を被覆し、代わりとなる印を含むことができる。
【００１０】
通常のキーを有するキーボードを被覆する多数の特許が存在しており、例えば、米国特許第５，５３６，１７０号の、点字読取装置用に触知性を有するキーで被覆するもの、大文字の代わりに小文字を提供するキーで被覆するもの、キーに示したアルファベットを変化させて、キーボードを異なる言語でタイプ使用可能にしたキーで被覆するものがある。
【００１１】
ルボー（Ｌｅｂｅａｕ）氏に付与された米国特許出願第２００１／００４１０８号では、実験室等で使用するキーボード用の使い捨てプラスチックカバーについて記載している。これらは、キーを保護し、各キーは個別に押下可能である。
【００１２】
公開された米国特許出願第２００３／０２０６１５３  Ａ１の「キーキャップ・フォー・ディスプレイング・ア・プルーラリティ・オブ・インディシア（Ｋｅｙｃａｐ  ｆｏｒ  ｄｉｓｐｌａｙｉｎｇ  ａ  ｐｌｕｒａｌｉｔｙ  ｏｆ  ｉｎｄｉｃｉａ）」は、コンピュータのキーボードで使用するキーキャップに関するものである。このキーキャップには、寸法が起動キーより大きく、人が読む印を表示するよう構成した支持構造体を有する。同キーキャップを使用して、コンピュータ等の電子装置と情報のやり取りを行うキーボードで用いる複数の印、例えば点字、絵等を表示する。該キーキャップには、キーボードの少なくとも１つの起動キーと着脱可能に係合にする少なくとも１つの係合部材、及び印を表示するための少なくとも第１支持構造体を含む。該第１支持構造体を、起動キーより少なくとも一方向に大きくし、キーキャップに十分大きな寸法の印を表示可能にして、例えば句、文、音符、数式等をキーキャップに表示可能にしている。こうした特徴により、キーキャップは、例えば障害者に教える際に使用する多数のソフトウェアプログラムに適合可能になる。このキーキャップを、好適には、ユーザのニーズに合うように、又はソフトウェアのプログラムの必要条件に合うように容易に構成可能な、複数の印を含む着脱可能なオーバレイと共に使用する。該キーキャップには、キーキャップにオーバレイを着脱可能に取着する少なくとも１つの取着部材を含む。該取着部材には、好適には、第１支持構造体の対向する端部に配置する２経路と、該２経路と摺動可能に係合するよう構成する第２支持構造体を備えて、第１支持構造体と第２支持構造体間でオーバレイを固持する。
【００１３】
カプライ（Ｋａｐｌｙ）氏他に付与された米国特許第６，３１０，６０８号の「システム・アンド・メソッド・オブ・キーボード・コンフィギュレーション・フォー・ディスエイブルド・ユーザ・アクセス（Ｓｙｓｔｅｍ  ａｎｄ  ｍｅｔｈｏｄ  ｏｆ  ｋｅｙｂｏａｒｄ  ｃｏｎｆｉｇｕｒａｔｉｏｎ  ｆｏｒ  ｄｉｓａｂｌｅｄ  ｕｓｅｒ  ａｃｃｅｓｓ）」は、障害者ユーザ用のコンピュータシステムに関し、キーを指定したコマンドに対応する複合キーにグループ化する。基本的には、キーボード上の複数のキーを纏めてグループ化して複合キーを形成するシステム及び方法を提示している。この特許に記載した複合キーの例示的構成には、ファンクションキー「Ｆ１」〜「Ｆ４」をグループ化して１個のキーを形成すること、「Ｆ５」〜「Ｆ８」をグループ化して第２キーを形成すること、及びファンクションキー「Ｆ９」〜「Ｆ１２」をグループ化して第３キーを形成すること、を含む。こうした実施例では、「Ｆ１」〜「Ｆ４」の何れのキーを作動させても、結果的に同じ入力が、オペレーティングシステム又はアプリケーションプログラムに対して行われることになる。複合キーを、「はい」、「入力」又は「取消」等の応答に割り当てることができる。別の実施例では、キー群を特定の英数字に割り当て可能とした。英数字のキーをこのようにして、少数の大きな英数字複合キーにグループ化できた。独立したキー群（例えばテンキー）を使用して、これらの複合キーの異なる配列間で切換え、それにより全ての文字を使用可能にできる。特定の期間に、キーボードの表示がキーの各群を表すようにして、各群に対応する入力を、コンピュータのディスプレイ画面に表示するようにもできる。或はまた、キーボード上に配置するテンプレートを使用して、特に、グループ化を作業中に変化させない用途に対して、複合キー群を示すことができる。キーボードの多数のキーを、同じ信号を入力するようプログラムするが、ユーザには依然としてずらりと並んだ小さなキーが提供されている。
【００１４】
こうした従来技術にもかかわらず、幼児に特に適した簡易インターフェースの必要性が依然として存在しており、本発明はこの必要性を解決するものである。
【先行技術文献】
【特許文献】
【００１５】
【特許文献１】フ加国特許第２，１９４，３１７号
【特許文献２】米国特許第５，３４８，４０５号
【特許文献３】米国特許第５，１９３，９２４号
【特許文献４】国際公開第ＷＯ９４００８０９号
【特許文献５】米国特許第５，５３６，１７０号
【特許文献６】米国特許出願第２００１／００４１０８号
【特許文献７】米国特許出願第２００３／０２０６１５３  Ａ１
【特許文献８】米国特許第６，３１０，６０８号
【発明の概要】
【発明が解決しようとする課題】
【００１６】
実施例の目的は、子供用インターフェースを提供し、子供がコンピュータと対話するのを可能にすることである。
【００１７】
更なる目的は、該インターフェースによりコンピュータのキーボードを保護することである。
【００１８】
また更なる目的は、該インターフェースを頑丈で簡素な機械的装置とすることである。
【００１９】
また更なる目的は、該インターフェースを、既存のキーボードに据付け可能にすることである。
【００２０】
また更なる目的は、該インターフェースを簡素化し、最小数のキーを備えることである。
【課題を解決するための手段】
【００２１】
第１態様では、本発明は、コンピュータ・キーボードに据付けるインターフェースを提供し、該インターフェースには複数の大型ボタンを有し、該各大型ボタンで上記キーボードの２個以上のキーを被覆するようにする。
【００２２】
典型的には、上記キーボードを、クワーティーキーボードとする。
【００２３】
好適には、上記複数の大型ボタンを明るい色にする。
【００２４】
任意には、及び好適には、上記複数の大型ボタンを、容易に認識できる記号で印付けする。
【００２５】
任意には、上記容易に認識できる記号を、文字、数字、形、図像の一覧から選択する。
【００２６】
１実施例では、略垂直なプッシュレバーを大型ボタンと結合させ、垂直プッシュレバーを押圧する又は引くと、大型ボタンの下にあるキーがキーストロークされ、登録されるようにする。
【００２７】
かかる略垂直プッシュレバーを透明としてもよく、ディスプレイの前に位置合わせして、ユーザが表示に応答する際に、上記垂直プッシュレバーを動かしてもよい。
【００２８】
典型的には、上記ディスプレイを、上記コンピュータと結合させたモニタに表示する。
【００２９】
第２実施例では、インターフェースを、キーボードを被覆するカバーとし、少なくとも第１の複数のキーを少なくとも１個の大型ボタンにグループ化して、それにより何れの上記複数のキーにも圧力が等しく作用するようにする。
【００３０】
１実施例では、カバーにより、圧力がキーボードの１個又は複数のキーに印加されるのを防ぎ、その結果該１個又は複数のキーが押下されるのを防ぐ。
【００３１】
或はまた、上記少なくとも１個の大型ボタンと関連していないキーを、ソフトウェアプログラムで無効にして、それにより該キーに対する圧力をコンピュータが登録しないようにする。
【００３２】
第２態様では、本発明は、クワーティーキーボードをプログラムするプログラムを提供し、それによりインターフェースの特定の大型ボタンが被覆するクワーティーキーボードの２個以上のキーを並行してプログラムし、それにより該大型ボタンで被覆するキーのどれでもが、コンピュータに同一の信号を提供するようにする。  
【００３３】
任意には、大型ボタンで被覆しないキーボードのキーを、ソフトウェアプログラムで無効にし、それにより該キーに対する圧力がコンピュータで作用しないようにする。
【００３４】
典型的には、ソフトウェアプログラムにより、キーストロークに対して低感度に規定し、それによりインターフェースの大型ボタンを意識的に打ったときのみ、入力として登録し、一打に付き一回の入力のみを登録するようにする。
【００３５】
第３態様では、本発明は、上述したようなソフトウェアプログラム及びインターフェースを提供することによって、標準的なクワーティーキーボードをボタンが大きな簡易キーボードに変換するシステムである。
【００３６】
本発明を一層理解し、如何にして本発明を実施可能かを示すために、以下では、単に例示目的で、添付図について言及する。
【００３７】
以下に、そうした図面について詳細に具体的に言及するが、図示した細部については、例として、本発明の好適実施例の説明に役立つ詳解のみを目的とするものであり、最も有用で、本発明の原理及び概念的見地を容易に理解可能にする記載と思われるものを提供するために、提示したものであることを、強調したい。この点で、本発明を基本的に理解するのに必要な以上に詳細な本発明の構造については、示していないが、そうした図面を用いた説明により、如何にして複数の本発明の形態を実際に具現化可能かが、当業者には明白になるであろう。
【図面の簡単な説明】
【００３８】
【図１】標準的なコンピュータ・キーボードに固定する、本発明の第１実施例によるインターフェースの概略的な分解等角投影図である。
【図２】キーボードに固定した図１のインターフェースの略断面図（側面図）である。
【図３】キーボードに固定した図１のインターフェースの平面図である。
【図４】標準的なコンピュータ・キーボードに固定した本発明の第２実施例によるインターフェースの概略的な分解等角投影図である。
【図５】キーボードに固定した図４のインターフェースの略断面図（側面図）である。
【図６】キーボードに固定した図４のインターフェースの平面図である。
【発明を実施するための形態】
【００３９】
次に図１〜図３を参照すると、クワーティーキーボード１２に据え付けるためのインターフェース１０を示している。インターフェース１０には、ベース２５上に嵌め込んだ複数の大型ボタン１４、１６、１８、２０を、各大型ボタン１４、１６、１８、２０で、複数のクワーティーキーボード１２のキー２２を被覆するようにして、有する。本発明の他ならぬ特徴は、少数の大型ボタン１４（１６、１８、２０）を、この例では単に４個のボタンだが、幼児又は身体障害者が容易に操作できるキーボードとして機能する簡易インターフェース１０で提供する点である。
【００４０】
本発明では、フィッシャー・プライスに付与された米国特許第５，３４８，４０５号及び加国特許第２，１９４，３１７号から離れて教示するが、該両特許では、マルチボタンカバーについて記載しており、該マルチボタンを押下防止具とし、ボタンが押圧させるのを防ぐのに対して、本明細書で開示する本発明では、コンピュータ・キーボードのキーを、大型ボタンとして纏めて結合させている。
【００４１】
複数の大型ボタン１４（１６、１８、２０）を、明るい色にしてもよく、文字、数字、形や図像等などの容易に認識できる記号で印付けしてもよい。インターフェース１０のベースプレート４２を設ける。これによりキーボード１２の他のキーを遮蔽し、誤って押下されるのを防止できる。或はまた、これら他のキーを、押下に応答しないようにプログラム（又はデプログラム）してもよい。
【００４２】
図４〜図６を参照すると、第２実施例によるインターフェース１１０では、垂直プッシュレバー１１５、１１７、１１９、１２１、１２３を、大型ボタン１１４、１１６、１１８、１２０、１２２に結合させており、該垂直プッシュレバー１２３（１１５、１１７、１１９、１２１）を押圧する又は引いて、大型ボタン１２２（図５）下にあるキー２２のキーストロークを登録する。垂直プッシュレバー１２３（１１５、１１７、１１９、１２１）を着色又は成形又は絵で装飾、又は印付けしてもよいが、好適には図６で示すように、垂直プッシュレバー１２３（１１５、１１７、１１９、１２１）を透明にし、ディスプレイ１３０の正面に並べ、それによりディスプレイ１３０の画像に応答する際に、ユーザが垂直プッシュレバー１２３（１１５、１１７、１１９、１２１）を動かすようにすることもできる。ディスプレイ１３０を典型的には、キーボード１２を結合するコンピュータ４０と結合したモニタ１３２に表示する。
【００４３】
ベース１０（１１０）には、キーボード１２のキーを被覆するベースプレート４２（１４２）を有し、典型的にはキーが押下されるのを防ぐ。大型ボタン１４（１１４）には典型的には、起立位置に引き戻し易くするバネ機構４４（１４４）を有する。各大型ボタン１４（１１４）により、キーボード１２の複数のキー２２を被覆する。
【００４４】
コンピュータ用キーボード１２は極めて類似しているが、モデル毎に若干変わる。本発明のインターフェースは典型的には、本発明の各大型ボタンを該ボタンの下にあるキー配列と一致させる。任意には、該ボタンの下にあるキー配列を多くして、同様に応答するようにプログラムし、それにより実際に大型ボタンの下にある全てのキーを、その上にある大型ボタンを押下して、押下すると共に、その周りにある他のキーを、同様に応答するようにプログラムするが、その上にあるインターフェースのベースプレートは押下されないよう保護してもよい。或はまた、一旦本発明のインターフェースをキーボードに取付けて、オペレータが大型ボタンを押圧して実行する構成手順に応じて、ボタンの下にあるキーをプログラムしてもよい。例えば、これを、キーボードを取着したコンピュータのスクリーンで又は音声合成装置を介して提供する指示に従って、子供がボタンを押下して、達成してもよい。
【００４５】
また、本発明は、クワーティーキーボードをプログラムするプログラムに関し、それによりインターフェース１０（１１０）の特定の大型ボタン１４（１１４）が相互作用するクワーティーキーボード１２の２個以上のキー２２を並行してプログラムし、それにより同じ大型ボタン１４（１１４）で被覆するキーのどれでもが、コンピュータ４０に同一の信号を提供するようにする。
【００４６】
ソフトウェアプログラムにより、インターフェースの大型ボタン１４（１１４）を意識的に打ったときのみ、入力として登録し、一打に付き一回の入力のみを登録するよう、キーストロークに対して低感度に規定してもよい。
【００４７】
子供用キーボード及びソフトウェアプログラムに関して上述したが、本明細書で記載した発明を、様々な障害を持ったユーザ用に具現化できる。
【００４８】
大型ボタンの数は、実施例によって大幅に異なる可能性がある。例えば、図示したような第１実施例では、４個の大型ボタンを有しており、第２実施例では、５個の大型ボタンを有する。インターフェース１０（１１０）は典型的には、インターフェース１０（１１０）をキーボード１２に取着及び保持するための単純なクリップ、伸縮性バンド又は紐等の、固定手段５０を含む。
【００４９】
好適実施例では、インターフェースで、キーボード及びその周囲を十分に被覆し、キーボードを、液体を零すこと等から大いに保護してもよい。他の実施例では、インターフェースでキーボードの一部分のみを被覆する。
【００５０】
任意には、インターフェースを、無作為にキーボード上に載置し、大型ボタンの押下時に、キーボードのどのキーがその下に存在するかに応じて、ソフトウェアに警告して、自己校正することができる。各大型ボタンの下にある下部キーは、同等に扱われ、該大型ボタンの機能を割り当てられる。どの大型ボタンの下にもないキーを押下した際の作用を、ソフトウェアによって無効にしてもよい。これは、キーとして指定していない部分から、インターフェースが力を伝達した場合、例えば、インターフェースを発泡スチロール、段ボール、可撓性マット材等の比較的軟性又は可撓性材料から作製した場合等は、特に有用となる。
【００５１】
インターフェース、ボタン、固定手段の形状及び構造は、実施例によって大幅に異なる可能性がある。従って、当業者は、本発明が、特に図示し上述したものに限定されないことを、理解するであろう。むしろ本発明の範囲は、付記したクレームで定義され、上述した様々な特徴の組合せ及び部分的な組合せだけでなく、前述した記載を読んで当業者が気付いた、それらの変形例及び変更例をも含むものとする。
【００５２】
請求項において、用語「含む（ｃｏｍｐｒｉｓｅ）」、及び「ｃｏｍｐｒｉｓｅｓ」、「ｃｏｍｐｒｉｓｉｎｇ」等の変化形は、記載した構成要素を包含するが、殆どの場合他の構成要素を除外するものではない。
【符号の説明】
【００５３】
１０、１１０  インターフェース
１２          キーボード
１４、１６、１８、２０、１１４、１１６、１１８、１２０、１２２  大型ボタン
２２          キー
２５          ベース
４０          コンピュータ
４２、１４２  ベースプレート
４４、１４４  バネ機構
５０          固定手段
１１５、１１７、１１９、１２１、１２３    垂直プッシュレバー
１３０        ディスプレイ
１３２        モニタ
【図１】
2010538348.tif 000003
【図２】
2010538348.tif 000004
【図３】
2010538348.tif 000005
【図４】
2010538348.tif 000006
【図５】
2010538348.tif 000007
【図６】
2010538348.tif 000008
【国際調査報告】
2010538348.tif 000009
2010538348.tif 000010